(57)【要約】【課題】  ガスレンジからの火災発生を未然に防いで、消火装置の起動や消防車の出動等の火災発生の際の負担を全くなくすガスレンジ制御システムを提供する。【解決手段】  ガスレンジ制御システムは、ガスレンジの炎を感知する炎センサ１０と、ガスレンジ周辺の人の存否を感知する人感センサ２０と、人感センサ２０及び炎センサ１０による感知結果に基づいてガスレンジへのガスの供給を制御するガスレンジ制御装置３０と、閉弁することによりガスレンジへガスの供給を遮断するガス遮断弁４０と、ガス遮断弁４０の開閉を操作するガス遮断弁操作器５０と、防災センタに設置され、ガス遮断弁４０の開閉状態を報知する防災センタ報知装置６０と、ガス供給管ＧＰ１，ＧＰ２におけるガス漏れを検知するガス漏れ検知器７０とを有する。【選択図】        図１
0003168622.tif 000002
【実用新案登録請求の範囲】
【請求項１】
前記ガスレンジの炎を感知する炎センサと、
前記ガスレンジ周辺における人の存否を感知する人感センサと、
前記炎センサにより前記ガスレンジの炎を感知している場合に、前記人感センサにより前記ガスレンジ周辺に人の存在を感知していないことを認識すると、前記ガスレンジへのガスの供給を停止させるように制御するガスレンジ制御装置と
を有することを特徴とするガスレンジ制御システム。
【請求項２】
前記ガスレンジへガスを供給するガス供給管を遮断するガス遮断弁をさらに有し、
前記ガスレンジ制御装置は、前記炎センサにより前記ガスレンジの炎を感知している場合に、前記人感センサにより前記ガスレンジ周辺に人の存在を感知していないことを認識すると、前記ガス遮断弁を閉弁させてガスレンジへのガスの供給を停止させるように制御することを特徴とする請求項１記載のガスレンジ制御システム。
【考案の詳細な説明】
【技術分野】
【０００１】
本考案は、ガスレンジ制御システムに関し、特に、ガスレンジ周辺における人の不在による出火を未然に防ぐガスレンジ制御システムに関する。
【背景技術】
【０００２】
従来から家庭用・業務用を問わず、ガスレンジ等の調理器具からの出火を原因とする火災が後を絶たない。
このようなガスレンジ等の調理器具からの火災による被害の拡大を抑えるものとして、特許文献１が開示するところの異常検知システムが提案されている。
特許文献１に開示される異常検知システムは、調理器具等から出火し、火災が発生すると、その火災の際に生じる熱や炎をセンサーによって検知し、警報の発令、スプリンクラー等消火装置の起動、ガスの供給停止、消防署への通報を行うことにより、火災の拡大を防いでいる。
【先行技術文献】
【特許文献】
【０００３】
【特許文献１】特開２００５−１１５４０８
【考案の概要】
【考案が解決しようとする課題】
【０００４】
しかしながら、特許文献１に開示される異常検知システムは、火災が発生してから、その際に生じる炎や熱を検知するので、火災を完全に防ぐことは困難であるという問題がある。
また、特許文献１の異常検知システムは、炎や熱を検知すると、スプリンクラー等の消火装置を起動させるので、その消火に係る設備やコストの面で決して少なくはない負担が生じるという問題もある。
さらに、上記火災発生の検知により消防署への通報を行い、その後消防車が出動することとなるが、この消防署における負担を何ら軽減するものではないという問題もある。
【０００５】
本考案は、上記問題点に鑑みてなされたものであり、ガスレンジからの火災発生を未然に防いで、消火装置の起動や消防車の出動等の火災発生の際の負担を全くなくすガスレンジ制御システムを提供することを目的とする。
【課題を解決するための手段】
【０００６】
かかる目的を達成するため、本考案におけるガスレンジ制御システムは、ガスレンジの炎を感知する炎センサと、ガスレンジ周辺における人の存否を感知する人感センサと、炎センサによりガスレンジの炎を感知している場合に、人感センサによりガスレンジ周辺に人の存在を感知していないことを認識すると、ガスレンジへのガスの供給を停止させるように制御するガスレンジ制御装置とを有することを特徴とする。
【０００７】
また、本考案におけるガスレンジ制御システムは、ガスレンジへガスを供給するガス供給管を遮断するガス遮断弁をさらに有し、ガスレンジ制御装置は、炎センサによりガスレンジの炎を感知している場合に、人感センサによりガスレンジ周辺に人の存在を感知していないことを認識すると、ガス遮断弁を閉弁させてガスレンジへのガスの供給を停止させるように制御することを特徴とする。
【考案の効果】
【０００８】
本考案におけるガスレンジ制御システムは、ガスレンジの炎を感知する炎センサと、ガスレンジ周辺における人の存否を感知する人感センサと、炎センサによりガスレンジの炎を感知している場合に、人感センサによりガスレンジ周辺に人の存在を感知していないことを認識すると、ガスレンジへのガスの供給を停止させるように制御するガスレンジ制御装置とを有して構成されるので、ガスレンジからの火災発生を未然に防いで、消火装置の起動や消防車の出動等の火災発生の際の負担を全くなくすことが可能となる。
【図面の簡単な説明】
【０００９】
【図１】本考案の実施の形態におけるガスレンジ制御システムの構成を示すブロック図である。
【図２】本考案の実施の形態における炎センサの構成を示す図である。
【図３】本考案の実施の形態における人感センサ及びガスレンジ制御装置の構成を示す図である。
【図４】本考案の実施の形態における炎センサ及びガスレンジ制御装置を簡略化して示した図である。
【図５】本考案の実施の形態におけるガスレンジ制御システムによるガスレンジへのガス供給の遮断動作の流れを示すフローチャートである。
【図６】本考案の実施の形態において遮断弁の遮断動作の際の人感センサ、炎センサ、ガス遮断弁の状態を示すテーブルである。
【図７】本考案の実施の形態において、スタッフがガスレンジの炎を着火し、消すといった通常の使用の際の人感センサ、炎センサ、ガス遮断弁の状態を示すテーブルである。
【図８】本考案の実施の形態におけるガスレンジ使用の復旧動作の流れを示すフローチャートである。
【考案を実施するための形態】
【００１０】
＜構成＞
図１は、本考案の実施の形態におけるガスレンジ制御システムの構成を示すブロック図である。以下、図を用いて、ガスレンジ制御システムの構成について説明を進める。
図に示すように、ガスレンジ制御システムは、
ガスレンジのバーナの炎を感知する炎センサ１０と、
当該ガスレンジ周辺の人の存否を感知する人感センサ２０と、
上記人感センサ２０及び炎センサ１０による感知結果に基づいて、当該ガスレンジへのガスの供給を制御するガスレンジ制御装置３０と、
閉弁することにより当該ガスレンジへガスの供給を遮断するガス遮断弁４０と、
上記ガスレンジ制御装置３０による制御により、上記ガス遮断弁４０の開閉を操作するガス遮断弁操作器５０と、
当該ガスレンジを原因とする火災の発生を未然に防止する防災センタに設置され、上記ガス遮断弁４０の開閉状態及びガスレンジへガスを供給するガス供給管のガス漏れを報知する防災センタ報知装置６０と、
ガスレンジへガスを供給するガス供給管ＧＰ１，ＧＰ２におけるガス漏れを検知するガス漏れ検知器７０とを有して構成される。
【００１１】
炎センサ１０は、ガスレンジのバーナの炎から放射される熱線、赤外線又は紫外線等により火炎を感知する素子である。
【００１２】
図２は、上記炎センサ１０の構成を示す図である。
図に示すように、炎センサ１０はａ接点を構成しており、ガスレンジのバーナの炎を感知すると、その感知結果を示す信号をガスレンジ制御装置３０へ出力する。
【００１３】
人感センサ２０は、赤外線又は熱線等で人の存否を感知する素子である。
例えば、人感センサ２０は、人体から発する赤外線を感知することにより、周囲の温度と温度差のある人体が感知エリア内で動いたときに、その温度変化を検出して人の存否を感知する。
【００１４】
ガスレンジ制御装置３０は、上記人感センサ２０及び炎センサ１０からそれぞれの感知結果を示す信号が入力されると、当該入力信号に基づいてガスレンジへのガス供給を制御する装置である。
【００１５】
図３は、上記人感センサ２０及びガスレンジ制御装置３０の構成を示す図である。
図に示すように、ガスレンジ制御装置３０には、切換スイッチＣＯＳが設けられており、人感センサ２０を連続動作にするか自動動作にするか切り換えることが可能に構成されている。
上記切換スイッチＣＯＳを連続動作に切り換えた場合には、ガスレンジ周辺に実際に人が存在する／しないにかかわらず、あたかも人感センサ２０が常時人の存在を感知した状態を連続的に維持する。すなわち、人が存在する感知結果を示す信号を常にガスレンジ制御装置３０へ入力している状態を連続的に維持する。
一方、上記切換スイッチＣＯＳを自動動作に切り換えた場合には、人感センサ２０は、ガスレンジ周辺における実際の人の存否を感知し、人が存在することを感知した場合には、その感知結果を示す信号をガスレンジ制御装置３０へ出力する。
以下、本明細書においては、特記しない限り、人感センサ２０は自動動作に切り換えられているものとする。
【００１６】
図に示すように、さらに、ガスレンジ制御装置３０には、リレーＲｙが設けられている。このリレーＲｙはｂ接点を構成しており、通常は閉じている。リレーＲｙは、上記人感センサ２０から人が存在する感知結果を示す信号が入力されると、上記常閉接点が開放する。
【００１７】
図４は、上記炎センサ１０及びガスレンジ制御装置３０を簡略化して示した図である。
前述のように、炎センサ１０がガスレンジのバーナの炎を感知した場合には、その感知結果を示す信号がガスレンジ制御装置３０のリレーＲｙに入力される。このとき、人感センサ２０が人を感知しなくなり感知信号がリレーＲｙに入力されなくなると、当該リレーＲｙの常閉接点が閉じて、上記ガスレンジ制御装置３０へガス遮断弁４０を閉弁させる制御信号を出力する。
【００１８】
ガス遮断弁４０は、ガスレンジへガスを供給するガス供給管ＧＰ１，ＧＰ２に設けられている弁であり、開弁時は当該ガス供給管ＧＰ１，ＧＰ２の流路を開放し、閉弁時にはガスレンジへのガス供給を遮断する。
【００１９】
ガス遮断弁操作器５０は、上記ガス遮断弁４０の開閉弁を操作する機器である。上記ガスレンジ制御装置３０から閉弁の制御信号が入力されると、自動的にガス遮断弁４０を閉弁し、ガスレンジへのガス供給を遮断する。
また、ガス遮断弁操作器５０に設けられているスイッチ等を操作することにより、手動でガス遮断弁４０の開閉弁を行うことができるよう構成されている。
【００２０】
防災センタ報知装置６０は、ガスレンジが設置されている場所から所定距離離れた防災センタに設けられた装置であり、上記ガス遮断弁操作器５０とネットワークで接続されている。
防災センタ報知装置６０は、例えば、汎用の情報処理装置（ＰＣ、携帯端末）や電子表示板（掲示板）等で構成される。
ガス遮断弁操作器５０は、ガス遮断弁４０の現在の開閉弁の状態を監視し、その開閉状態を示す信号をネットワークを介して防災センタ報知装置６０へ送信する。
また、ガス遮断弁操作器５０は、上記ガス供給管ＧＰ１，ＧＰ２のガス漏れがある場合はその旨を示す警報信号をネットワークを介して防災センタ報知装置６０へ送信する。
防災センタ報知装置６０は、上記開閉状態を示す信号又はガス漏れが発生した旨の警報信号を受信すると、当該状態を防災センタにおいて報知する。この報知方法としては、例えば、防災センタ報知装置６０が有する表示装置上に表示し、又は音声でスピーカから出力して行う。
【００２１】
ガス漏れ検知器７０は、ガスレンジへガスを供給するガス供給管ＧＰ１，ＧＰ２におけるガス漏れを検知する機器である。
ガス漏れ検知器７０は、上記ガス遮断弁４０閉弁後に、ガスレンジとガス遮断弁４０の間のガス供給管ＧＰ１内に燃料ガスよりも高い圧力の不燃性ガス（例えば窒素）を封入して、ガスレンジとガス遮断弁４０の間のガス供給管ＧＰ１内のガスの圧力を計測する。このとき、ガスレンジとガス遮断弁４０の間のガス供給管ＧＰ１の一部から外部にガスが漏れて当該ガスの圧力が低下し、所定値以下となった場合、ガス漏れ検知器７０はガス供給管ＧＰ１外部へガス漏れが発生したことを検知する。
また、上記ガス封入後にガス遮断弁４０に不具合が生じ、ガスレンジとガス遮断弁４０の間のガス供給管ＧＰ１内のガスが、ガス遮断弁４０よりガス供給側（ガスレンジと反対側）に漏れて、当該ガス遮断弁４０よりガス供給側のガス供給管ＧＰ２内のガスの圧力が所定値以上となった場合、ガス供給管ＧＰ１，ＧＰ２内の遮断が不十分であることを検知する。
【００２２】
＜動作＞
（ガス供給の遮断動作）
図５は、本考案の実施の形態におけるガスレンジ制御システムによるガスレンジへのガス供給の遮断動作の流れを示すフローチャートである。
以下、本図に沿って、上記ガス供給の遮断動作について説明する。
【００２３】
初期状態は、ガスレンジには炎が着火しておらず、当該ガスレンジの周囲には人が存在していない。また、ガス遮断弁４０は開弁している。
まず、ガスレンジを利用するためにスタッフがガスレンジに近づくと、人感センサ２０は人の存在を感知し（ステップＳ１／Ｙｅｓ）、ガスレンジ周辺の人の存否の監視を開始する（ステップＳ２）。
【００２４】
次に、スタッフがガスレンジのバーナを着火すると、炎センサ１０は当該着火を感知し（ステップＳ３／Ｙｅｓ）、ガスレンジのバーナの炎を監視する（ステップＳ４）。
スタッフがそのままガスレンジの周囲にいる場合には（ステップＳ５／Ｙｅｓ）、そのまま炎センサ１０、人感センサ２０ともに監視を継続する。
【００２５】
その後、スタッフがガスレンジの火を付けたままガスレンジから離れると、人感センサ２０が上記ガスレンジ周囲における人の存在を感知しなくなった一方で（ステップＳ５／Ｎｏ）、炎センサ１０がガスレンジのバーナの炎を感知し（ステップＳ６／Ｙｅｓ）、ガスレンジ制御装置３０は、ガス遮断弁操作器５０へ遮断信号を出力する（ステップＳ７）。
【００２６】
ガス遮断弁操作器５０は、上記遮断信号が入力されると、ガス遮断弁４０を閉弁してガスレンジへのガス供給を遮断する（ステップＳ８）。
そして、ガス遮断弁操作器５０は、ガス遮断弁４０が閉弁されたことを示す信号を防災センタ報知装置６０へ出力し、防災センタ報知装置６０は、この信号を入力すると、表示又は音声出力し、ガス供給が遮断されたことを防災センタにおいて報知する（ステップＳ９）。
以上で、動作は終了する。
【００２７】
以上説明したように、スタッフがガスレンジの火を付けたままガスレンジを離れると、炎センサ１０がガスレンジの炎を感知する一方で、人感センサ２０がガスレンジ周囲の人の存在を感知しなくなり、ガスレンジ制御装置３０は、これらの感知結果に基づいて、ガスレンジに対するガス供給を遮断する旨の制御信号をガス遮断弁操作器５０へ出力し、ガス遮断弁４０を閉弁するので、スタッフ不在による火災の発生を未然に防ぐことが可能となる。また、スプリンクラー等の消火設備の稼働や、消防署の出動も未然に回避し、火災発生に係る負担をなくすことが可能となる。
【００２８】
次に、上述のように行われるガスレンジへのガス供給の遮断動作について、各ステップにおける人感センサ２０、炎センサ１０、ガス遮断弁４０の各状態を説明する。
図６は、上述の遮断弁４０の遮断動作の際の人感センサ２０、炎センサ１０、ガス遮断弁４０の状態を示すテーブルである。なお、各センサ１０，２０はそれぞれ炎、人を感知している場合は「○」、感知していない場合は「×」で示している。また、ガス遮断弁４０の状態を「開」又は「閉」で示している。
図に示すように、スタッフがガスレンジのバーナに着火するためにガスレンジ周辺に移動したときには（Ｓｔ１）、人感センサ２０はそのスタッフの存在を感知し、炎センサ１０はまだ未着火のため炎を感知していない。このとき、ガス遮断弁４０は開弁している。
次に、スタッフがガスレンジのバーナに着火すると（Ｓｔ２）、人感センサ２０はそのスタッフの存在の感知を継続し、炎センサ１０は着火されたガスレンジの炎を感知し始める。このときも、ガス遮断弁４０は開弁している。
次に、ガスレンジの火をつけたまま、スタッフがガスレンジから離れると（Ｓｔ３）、人感センサ２０はそのスタッフの存在を感知しなくなる一方で、炎センサ１０はガスレンジの炎の感知を継続する。このとき、ガス遮断弁４０が閉弁し、ガスレンジへのガスの供給が遮断される。
このようにガスの供給が遮断されると、ガスレンジの火が消えて（Ｓｔ４）、人感センサ２０はそのスタッフの存在を感知しない状態を継続し、炎センサ１０はガスレンジの炎を感知しなくなる。このときも、ガス遮断弁４０は閉弁したままであり、ガスレンジへのガス供給の遮断も継続される。
【００２９】
次に、スタッフがガスレンジを使用している間、ガスレンジから離れずに常に周辺にいる場合の、各ステップにおける人感センサ２０、炎センサ１０、ガス遮断弁４０の各状態を説明する。
図７は、スタッフがガスレンジの炎を着火し、消すといった通常の使用の際の人感センサ２０、炎センサ１０、ガス遮断弁４０の状態を示すテーブルである。なお、各センサ１０，２０はそれぞれ炎、人を感知している場合は「○」、感知していない場合は「×」で示している。また、ガス遮断弁４０の状態を「開」又は「閉」で示している。
図に示すように、スタッフがガスレンジのバーナに着火するためにガスレンジ周辺に移動したときには（Ｓｔ１）、人感センサ２０はそのスタッフの存在を感知し、炎センサ１０はまだ未着火のため炎を感知していない。このとき、ガス遮断弁４０は開弁している。
次に、スタッフがガスレンジのバーナに着火すると（Ｓｔ２）、人感センサ２０はそのスタッフの存在の感知を継続し、炎センサ１０は着火されたガスレンジの炎を感知し始める。このときも、ガス遮断弁４０は開弁している。
次に、スタッフがガスレンジの火を消すと（Ｓｔ３）、人感センサ２０はそのスタッフの存在の感知を継続したまま、炎センサ１０はガスレンジの炎を感知しなくなる。このとき、ガス遮断弁４０は開弁したままであり、ガスレンジへのガスの供給は遮断されていない。すなわち、着火スイッチをＯＮにすれば、また着火可能な状態である。
次に、スタッフがガス遮断弁操作器５０を操作してガス遮断弁４０を閉弁させると（Ｓｔ４）、人感センサ２０はそのスタッフの存在の感知を継続したまま、炎センサ１０はガスレンジの炎を感知しない状態を継続する。
その後、スタッフがガスレンジから離れると、人感センサ２０はスタッフの存在を感知しなくなり、炎センサ１０はガスレンジの炎を感知しない状態を継続する。このとき、ガス遮断弁４０は閉弁されたままである。
【００３０】
（ガス供給の復旧動作）
図８は、本考案の実施の形態におけるガスレンジ使用の復旧動作の流れを示すフローチャートである。
以下、本図に沿って、前述のようにガスレンジへのガス供給を遮断した後に、再度ガスの供給を復旧させるときの動作について説明する。
【００３１】
まず、スタッフは、防災センタ報知装置６０による報知により、ガス遮断弁４０の閉弁を確認すると、再度ガス遮断弁４０を開弁してガスレンジの使用を復旧させるため、ガスレンジの設置場所へ移動する。
スタッフが、ガスレンジ周辺に移動すると、人感センサ２０がガスレンジ周辺の人の存在を感知し（ステップＳ１１）、ガスレンジ周辺の人の存否の監視を開始する（ステップＳ１２）。
【００３２】
次に、スタッフは、ガス遮断弁操作器５０に設けられているスイッチ等を操作して、ガス遮断弁４０の開弁を指示する（ステップＳ１３）。
すると、ガス遮断弁操作器５０は、ガス漏れ検知器７０に対して、ガスレンジへガスを供給するガス供給管ＧＰ１，ＧＰ２におけるガス漏れの検査を開始させる（ステップＳ１４）。具体的には、ガス漏れ検知器７０は、ガス供給管ＧＰ１，ＧＰ２に不燃性のガスを封入し、ガス供給管ＧＰ１，ＧＰ２内の気圧を所定時間（例えば３分間）計測し、当該気圧が所定の範囲内であるか否かについて検査する。
【００３３】
上記検査の結果、ガス漏れ検知器７０がガス漏れを検知した場合には（ステップＳ１５／Ｙｅｓ）、ガス漏れが検知された旨及びガス供給管ＧＰ１，ＧＰ２のどちらで破損が生じているかを示した信号をガス遮断弁操作器５０へ出力し、ガス遮断弁操作器５０は、当該検知信号を入力すると、ガス遮断弁４０を閉弁のままの状態を維持する。
また、このとき、ガス遮断弁操作器５０は、上記ガス漏れが検知された旨の警報信号を防災センタ報知装置６０へ送信し、防災センタ報知装置６０は、当該警報信号を受信すると、その旨を防災センタにおいて報知する。
その後、スタッフが派遣され、ガス供給管ＧＰ１，ＧＰ２の破損個所を特定して修理を行う。
【００３４】
一方、上記の検査の結果、ガス漏れ検知器７０がガス漏れを検知しなかった場合には（ステップＳ１５／Ｎｏ）、ガス漏れが検知されなかった旨の信号をガス遮断弁操作器５０へ出力し、ガス遮断弁操作器５０は、当該検知信号を入力すると、ガス遮断弁４０を開弁するための開放信号をガス遮断弁４０へ出力して（ステップＳ１６）、ガス遮断弁４０を開弁し、ガスレンジへのガスの供給を開放する（ステップＳ１７）。
この後は、ガスレンジに設けられた着火スイッチをＯＮにすることで着火が可能となる。
【００３５】
以上説明したように、ガスレンジ制御システムは、ガス遮断弁４０閉弁後に再度開弁する際には、ガス漏れの有無を確認してから開弁するので、ガス漏れによる火災等を未然に防ぐことが可能となる。
【００３６】
（実施の形態のまとめ）
以上説明したように、本実施の形態におけるガスレンジ制御システムは、炎センサによりガスレンジの炎を感知している場合に、人感センサによりガスレンジ周辺に人の存在を感知していないことを認識すると、ガスレンジへのガスの供給を停止させるように制御するので、ガスレンジからの火災発生を未然に防いで、消火装置の起動や消防車の出動等の火災発生の際の負担を全くなくすことが可能となる。
【００３７】
なお、上記の実施例は本考案の好適な実施の一例であり、本考案の実施例は、これに限定されるものではなく、本考案の要旨を逸脱しない範囲において種々変形して実施することが可能となる。
【００３８】
例えば、図１では、ガスレンジ制御システムが炎センサ１０及び人感センサ２０を１つずつ有しているが、複数有して構成されてもよい。
炎センサ１０を複数有する場合は、その複数の炎センサ１０のいずれかがガスレンジの炎を感知していれば、炎を感知したとしてガスレンジ制御装置３０へその旨の感知信号を出力する。
また、人感センサ２０を複数有する場合は、その複数の人感センサ２０のいずれかがガスレンジ周辺の人の存在を感知していれば、人の存在を感知したとしてガスレンジ制御装置３０へその旨の感知信号を出力する。
【００３９】
また、本実施形態においては、炎センサ１０、人感センサ２０、ガスレンジ制御装置３０は、アナログ回路により構成されるとしたが、主にＣＰＵとメモリにロードされたプログラム及びそれ以外の任意のハードウェアの組合せによって上記各機器を構成することも可能であり、その設計自由度の高さは当業者には容易に理解されるところである。
【符号の説明】
【００４０】
１０    炎センサ
２０    人感センサ
３０    ガスレンジ制御装置
４０    ガス遮断弁
５０    ガス遮断弁操作器
６０    防災センタ報知装置
７０    ガス漏れ検知器
ＣＯＳ    切換スイッチ
ＧＰ１，ＧＰ２    ガス供給管
Ｒｙ    リレー
【図１】
0003168622.tif 000003
【図２】
0003168622.tif 000004
【図３】
0003168622.tif 000005
【図４】
0003168622.tif 000006
【図５】
0003168622.tif 000007
【図６】
0003168622.tif 000008
【図７】
0003168622.tif 000009
【図８】
0003168622.tif 000010
【手続補正書】
【提出日】平成23年4月7日(2011.4.7)
【手続補正１】
【補正対象書類名】実用新案登録請求の範囲
【補正対象項目名】全文
【補正方法】変更
【補正の内容】
【実用新案登録請求の範囲】
【請求項１】
ガスレンジの炎を感知し、該感知結果を示す信号を出力する炎センサと、
前記ガスレンジ周辺における人の存否を感知し、該感知結果を示す信号を出力する人感センサと、
前記炎センサから前記ガスレンジの炎を感知したことを示す信号が入力され、前記人感センサからガスレンジ周辺に人を感知したことを示す信号が入力されなくなると、前記ガスレンジへのガスの供給を停止させる制御信号を出力するガスレンジ制御装置と
を有することを特徴とするガスレンジ制御システム。
【請求項２】
前記ガスレンジへガスを供給するガス供給管を遮断するガス遮断弁と、
前記ガス遮断弁の開閉弁を行うガス遮断弁操作器とをさらに有し、
前記ガスレンジ制御装置は、前記炎センサから前記ガスレンジの炎を感知したことを示す信号が入力され、前記人感センサからガスレンジ周辺に人を感知したことを示す信号が入力されなくなると、前記ガスレンジへのガスの供給を停止させる制御信号を前記ガス遮断弁操作器へ出力し、
前記ガス遮断弁操作器は、前記ガスレンジ制御装置から前記制御信号を入力すると、前記ガス遮断弁を閉弁させてガスレンジへのガスの供給を停止させるように制御することを特徴とする請求項１記載のガスレンジ制御システム。
【手続補正２】
【補正対象書類名】明細書
【補正対象項目名】０００６
【補正方法】変更
【補正の内容】
【０００６】
かかる目的を達成するため、本考案におけるガスレンジ制御システムは、ガスレンジの炎を感知し、感知結果を示す信号を出力する炎センサと、ガスレンジ周辺における人の存否を感知し、感知結果を示す信号を出力する人感センサと、炎センサからガスレンジの炎を感知したことを示す信号が入力され、人感センサからガスレンジ周辺に人を感知したことを示す信号が入力されなくなると、ガスレンジへのガスの供給を停止させる制御信号を出力するガスレンジ制御装置とを有することを特徴とする。
【手続補正３】
【補正対象書類名】明細書
【補正対象項目名】０００７
【補正方法】変更
【補正の内容】
【０００７】
また、本考案におけるガスレンジ制御システムは、ガスレンジへガスを供給するガス供給管を遮断するガス遮断弁と、ガス遮断弁の開閉弁を行うガス遮断弁操作器とをさらに有し、ガスレンジ制御装置は、炎センサからガスレンジの炎を感知したことを示す信号が入力され、人感センサからガスレンジ周辺に人を感知したことを示す信号が入力されなくなると、ガスレンジへのガスの供給を停止させる制御信号をガス遮断弁操作器へ出力し、ガス遮断弁操作器は、ガスレンジ制御装置から制御信号を入力すると、ガス遮断弁を閉弁させてガスレンジへのガスの供給を停止させるように制御することを特徴とする。
【手続補正４】
【補正対象書類名】明細書
【補正対象項目名】００１７
【補正方法】変更
【補正の内容】
【００１７】
図４は、上記炎センサ１０及びガスレンジ制御装置３０を簡略化して示した図である。
前述のように、炎センサ１０がガスレンジのバーナの炎を感知した場合には、その感知結果を示す信号がガスレンジ制御装置３０のリレーＲｙに入力される。このとき、人感センサ２０が人を感知しなくなり感知信号がリレーＲｙに入力されなくなると、当該リレーＲｙの常閉接点が閉じて、上記ガス遮断弁操作器５０へガス遮断弁４０を閉弁させる制御信号を出力する。